(57)【要約】【課題】  少ない部品点数で組み立てることができ、収容された精密機器に対する保護機能が高く、組立て・解体が簡単で、精密機器を安全かつ容易に取り出すことができる精密機器用梱包箱を提供する。【解決手段】  この精密機器用梱包箱１は、それぞれ段ボール状の厚さおよびクッション性を有する１枚の薄板材を折り曲げて形成した外箱２および内側材３からなる。外箱２は、矩形の底面部１０と、４面の側面部１１Ａ，１１Ｃと、上蓋２１Ｃ，２１Ｄとを有する。２面の側面部１１Ａは倒伏可能な外扉として構成され、その内側に観音開きの内扉１４Ａ，１４Ｂを設ける。折返し部１８Ａ，１８Ｂを内側に折り返すことにより、側面部１１Ａと内扉１４Ａ，１４Ｂとが互いに分離不能とする。内側材３は、底面部１０の上に重ねられる中央板部３０と、側面部１１Ｃの内側に重ねられる２つの立上り部３１Ｃ，３１Ｄとを有する。【選択図】        図１
2015101367.tif 000002
【特許請求の範囲】
【請求項１】
外形が略円柱状で径方向寸法に比べて軸方向寸法が長い精密機器の梱包に用いられる精密機器用梱包箱であって、
前記精密機器を軸方向が上下になるようにして収容する外箱と、この外箱と前記精密機器の間に介在させる内側材とからなり、これら外箱および内側材は、いずれも段ボール状の厚さおよびクッション性を有する１枚の薄板材を折り曲げて形成したものであり、
前記外箱は、矩形の底面部と、この底面部の各辺から上方へ延びる４面の側面部とを有し、これら４面の側面部のうちの１面または互いに対向する２面は、その上端が前記底面部と同程度の高さ位置になるまで倒伏可能な外扉として構成され、この外扉の両側に隣合う２面の側面部に、前記外扉の内側に折り曲げられ互いに対となる扉部材がそれぞれ設けられ、これら一対の扉部材で、前記外扉が倒伏した状態において外側へ観音開き状に開放可能な内扉を構成し、前記４面の側面部のうち前記外扉でない側面部の上端に、前記底面部と４面の側面部とで囲まれた空間の上部を閉ざす上蓋が設けられ、
前記内側材は、前記外箱の前記底面部の上に重ねられる中央板部と、この中央板部の対向する２辺からそれぞれ上方へ立ち上がり、前記外箱の前記扉部材が設けられた２面の側面部の内側に重ねられる２つの立上り部とを有し、
前記外扉および前記内扉の少なくとも一方に、これら外扉と内扉を互いに分離可能に固定する固定手段を設けたことを特徴とする精密機器用梱包箱。
【請求項２】
請求項１に記載の精密機器用梱包箱において、前記固定手段は、前記外扉の上端に設けられた折返し部を前記内扉の上端を越えて内側に折り返すことにより、前記外扉と前記内扉とが互いに組み合わされた状態とする精密機器用梱包箱。
【請求項３】
請求項１または請求項２に記載の精密機器用梱包箱において、前記内側材の前記立上り部の先端に内側へ折り曲げ可能な中蓋をそれぞれ設け、各中蓋に取っ手孔をそれぞれ形成した精密機器用梱包箱。
【請求項４】
請求項１ないし請求項３のいずれか１項に記載の精密機器用梱包箱において、前記一対の扉部材は、蟻溝状の凹部および凸部を互いに噛み合わせることで、これら凹部および凸部の接触面の摩擦抵抗により前記内扉を閉じた状態に保持する精密機器用梱包箱。
【請求項５】
請求項１ないし請求項４のいずれか１項に記載の精密機器用梱包箱において、前記立上り部の側部に、前記折返し部を内側に折り返すとき、または折り返しを戻すときにこの折返し部と干渉することを回避するための側部切欠きを設けた精密機器用梱包箱。
【請求項６】
請求項１ないし請求項５のいずれか１項に記載の精密機器用梱包箱において、前記外箱の前記外扉でない側面部に、前記内側材の前記立上り部により内側から塞がれる手掛け孔を設けた精密機器用梱包箱。
【請求項７】
請求項１ないし請求項６のいずれか１項に記載の精密機器用梱包箱において、前記内側材の前記折返し部の先端部に、この折返し部の折り返しを戻すときに、内部に収容されている前記精密機器と干渉するのを回避するための先端部切欠きを設けた精密機器用梱包箱。
【請求項８】
請求項１に記載の精密機器用梱包箱において、前記固定手段は、前記外扉および前記内扉の少なくとも一方に設けられ、これら外扉と内扉を互いに固定する粘着テープまたは面ファスナーである精密機器用梱包箱。
【発明の詳細な説明】
【技術分野】
【０００１】
この発明は、外形が略円柱状で径方向寸法に比べて軸方向寸法が長い、軸受等の精密機器の梱包に用いられる精密機器用梱包箱に関する。
【背景技術】
【０００２】
外形が略円柱状で径方向寸法に比べて軸方向寸法が長い精密機器、例えば鉄道車両用車軸軸受を製造元から納入先へ送る場合、精密機器を複数の所定個数ずつ木箱に容れるか、または１個ずつ段ボール紙等からなる板紙製の梱包箱に容れて搬送している。
【０００３】
精密機器５０を容れる板紙製の梱包箱としては、図１２のような、上蓋６０が開閉する直方体形状のものが一般的である。また、精密機器５０の保護と強度向上のために、図１３のように、外箱６１の内側に上下に貫通した角筒状の内側材６２を嵌め込んだものもある（精密機器は省略）。いずれの梱包箱も、上蓋６０を開けて上方から精密機器５０を出し入れする。
【０００４】
精密機器以外の梱包に用いられる包装箱では、以下の各提案がなされている。特許文献１は、被包装物の取り出しを容易にするために、箱にミシン目を入れて側面部を開口可能としている。特許文献２は、箱の側面部を観音開き状に開閉可能としている。また、特許文献３に開示されているようなケーキ等の包装箱には、外側の倒伏可能な前後壁と、内側の観音開き状に開くフラップとで、箱の側面を開閉する構造が採用されている。
【先行技術文献】
【特許文献】
【０００５】
【特許文献１】特昭６３−３１７４８０号公報
【特許文献２】特昭６４−３１７４８０号公報
【特許文献１】特開２００３−２２６３２５号公報
【発明の概要】
【発明が解決しようとする課題】
【０００６】
木箱は、精密機器を複数個ずつ梱包したとしても、段ボール紙製の梱包箱に比べて、精密機器１個当たりのコストが高くつく。また、木箱に精密機器を複数個ずつ梱包すると、全体の重量が非常に重くなり取扱いが難しく、保管にかさばるという問題がある。さらに、木箱は、使用後の解体、処分等の処理が面倒である。
【０００７】
これに対し、段ボール紙製の梱包箱は、精密機器１個当たりのコストを低く抑えることができるうえ、精密機器を１個ずつ梱包するので取扱性が良いという利点がある。しかし、強度的には木箱に比べて劣るため、鉄道車両用軸受等の精密機器を収容する場合には、箱の中に段ボール紙等からなる緩衝材を別途入れる必要がある。そのため、梱包手段の全体としての部品点数が多くなり、部品管理が面倒である。
【０００８】
さらに問題となるのは、精密機器の出し入れについてである。図１２、図１３に示すような従来の段ボール紙製の梱包箱は、重量物である精密機器を上に持ち上げて取り出す方式であるため、取出しが困難で、しかも危険を伴う。そこで、実際の現場では、梱包箱をカッターナイフ等で切断して側面の一部を開き、そこから精密機器を横に滑らして取り出すことが多い。この取り出し方は、梱包箱を解体するときにカッターナイフで精密機器を傷つけないように細心の注意を払う必要があるうえ、切断に手間がかかる。また、梱包箱を倒して中の精密機器を引きずり出すことも一部で行われているが、この方法は、精密機器の取扱い方として問題がある。
【０００９】
加えて、従来の段ボール紙製の梱包箱は、段ボールシートの接合箇所を鉄ピン等で結合していたため、解体時に上記鉄ピン等を外さなければならず時間がかかる。また、解体後に段ボール紙以外のゴミが多く出て、後片付けが面倒である。
【００１０】
上記課題を解決するために、図１４のように、梱包箱を、精密機器５０を載せる下箱６２と、この下箱６２に対して上から被せる上箱６３とで構成し、下箱６２および上箱６３を外からバンド（図示せず）で結束する方式を検討した。しかし、この方式は、一度バンドを切断してしまうと、再度梱包し直すことができない。そのため、商品確認等のために一旦開梱すると、その後、精密機器５０を梱包箱に容れて移動することが難しい。また、新しい精密機器を取り出した後の梱包箱を、古い精密機器の回収に利用することもできない。さらに、上箱６３を上に引き抜く際に、重量物である精密機器５０が倒れる危険がある。
【００１１】
この発明の目的は、少ない部品点数で組み立てることができ、収容された精密機器に対する保護機能が高く、組立て・解体が簡単で、精密機器を安全かつ容易に取り出すことができる精密機器用梱包箱を提供することである。
【課題を解決するための手段】
【００１２】
この発明の精密機器用梱包箱は、外形が略円柱状で径方向寸法に比べて軸方向寸法が長い精密機器の梱包に用いられる精密機器用梱包箱であって、前記精密機器を軸方向が上下になるようにして収容する外箱と、この外箱と前記精密機器の間に介在させる内側材とからなり、これら外箱および内側材は、いずれも段ボール状の厚さおよびクッション性を有する１枚の薄板材を折り曲げて形成したものである。
前記外箱は、矩形の底面部と、この底面部の各辺から上方へ延びる４面の側面部とを有し、これら４面の側面部のうちの１面または互いに対向する２面は、その上端が前記底面部と同程度の高さ位置になるまで倒伏可能な外扉として構成され、この外扉の両側に隣合う２面の側面部に、前記外扉の内側に折り曲げられ互いに対となる扉部材がそれぞれ設けられ、これら一対の扉部材で、前記外扉が倒伏した状態において外側へ観音開き状に開放可能な内扉を構成し、前記４面の側面部のうち前記外扉でない側面部の上端に、前記底面部と４面の側面部とで囲まれた空間の上部を閉ざす上蓋が設けられ、前記内側材は、前記外箱の前記底面部の上に重ねられる中央板部と、この中央板部の対向する２辺からそれぞれ上方へ立ち上がり、前記外箱の前記扉部材が設けられた２面の側面部の内側に重ねられる２つの立上り部とを有し、前記外扉および前記内扉の少なくとも一方に、これら外扉と内扉を互いに分離可能に固定する固定手段を設けたことを特徴とする。
【００１３】
この構成によると、精密機器を梱包した状態において、精密機器用梱包箱は外形が直方体形状となる。その４つの側面のうち、１面または互いに対向する２面は、外扉である側面部、および内扉からなる２重構造である。残りの互いに対向する２面は、外箱の外扉でない側面部、および内側材の立上り部からなる２重構造である。また、精密機器用梱包箱の底面は、外箱の底面部、および内側材の中央板部からなる２重構造である。このように、クッション性を有する薄板材で精密機器を２重に保護するので、収容されている精密機器に対する保護機能が高い。
【００１４】
精密機器を取り出すには、まず上蓋を開く。次に、固定手段を外して、外扉と内扉を互いに分離可能とする。そして、外扉を倒伏させて開く。さらに、内扉を観音開き状に開く。これにより、外扉と内扉とで閉じられていた側面が開放される。この開放された側面から、中の精密機器を側方にスライドさせて取り出す。精密機器だけを取り出しても良く、内側材ごと精密機器を取り出しても良い。この取り出しの際、倒伏した外扉の上を滑らして精密機器を移動させると、精密機器を安全かつ容易に取り出すことができる。
【００１５】
この構成の精密機器用梱包箱は、外箱と内側材とからなり、これら外箱および内側材は、いずれも１枚の薄板材を折り曲げて形成されている。このため、部品点数が少なくて済み、組立て・解体が簡単である。
【００１６】
この発明において、前記固定手段は、前記外扉の上端に設けられた折返し部を前記内扉の上端を越えて内側に折り返すことにより、前記外扉と前記内扉とが互いに組み合わされた状態とする構成であると良い。
この構成であると、外箱の組立てのために、鉄ピン等の止め具を必要としない。このため、より一層、部品点数が少なくて済み、組立て・解体が簡単である。
【００１７】
この発明において、前記内側材の前記立上り部の先端に内側へ折り曲げ可能な中蓋をそれぞれ設け、各中蓋に取っ手孔をそれぞれ形成すると良い。
中蓋が設けられていると、精密機器用梱包箱の上面が外箱の上蓋、および内側材の中蓋からなる２重構造となり、精密機器に対する上側面の保護機能が高まる。また、中蓋に取っ手孔が形成されていると、梱包時に、取っ手孔にロープ、バンド等を通すか、またはフックを引っ掛けることにより、クレーン等で内側材ごと精密機器を吊り下げて外箱の中に入れることができる。これにより、重量物である精密機器を作業者が直接扱わなくてもよく、安全である。
【００１８】
この発明において、前記一対の扉部材は、蟻溝状の凹部および凸部を互いに噛み合わせることで、これら凹部および凸部の接触面の摩擦抵抗により前記内扉を閉じた状態に保持すると良い。
凹部および凸部を蟻溝状とすることで、内扉を閉じた状態に保つ保持力を適度に高められる。これにより、外扉による外側からの拘束がない状態でも内扉を閉じた状態に保持することができ、かつ人手で一対の扉部材を引き離して内扉を開くことができる。
【００１９】
この発明において、前記立上り部の側部に、前記折返し部を内側に折り返すとき、または折り返しを戻すときにこの折返し部と干渉することを回避するための側部切欠きを設けると良い。
内側材の立上り部に側部切欠きが設けられていると、折返し部が立上り部と干渉することがなく、外扉の開閉を円滑に行える。
【００２０】
この発明において、前記外箱の前記外扉でない側面部に、前記内側材の前記立上り部により内側から塞がれる手掛け孔を設けると良い。
手掛け孔が設けられていると、外箱の持ち運びが容易である。精密機器を梱包した状態では、手掛け孔が内側材の前記立上り部により内側から塞がれるため、箱内の密封性が保たれる。
【００２１】
この発明において、前記内側材の前記折返し部の先端部に、この折返し部の折り返しを戻すときに、内部に収容されている前記精密機器と干渉するのを回避するための先端部切欠きを設けると良い。
先端部切欠きが設けられていると、外扉の折返し部を箱内から引き出して折り返しを戻すときに、折返し部が精密機器と干渉することがなく、開梱作業を円滑に行える。
【００２２】
この発明において、前記固定手段は、前記外扉および前記内扉の少なくとも一方に設けられ、これら外扉と内扉を互いに固定する粘着テープまたは面ファスナーであっても良い。
【発明の効果】
【００２３】
この発明の精密機器用梱包箱は、外形が略円柱状で径方向寸法に比べて軸方向寸法が長い精密機器の梱包に用いられる精密機器用梱包箱であって、前記精密機器を軸方向が上下になるようにして収容する外箱と、この外箱と前記精密機器の間に介在させる内側材とからなり、これら外箱および内側材は、いずれも段ボール状の厚さおよびクッション性を有する１枚の薄板材を折り曲げて形成したものであり、前記外箱は、矩形の底面部と、この底面部の各辺から上方へ延びる４面の側面部とを有し、これら４面の側面部のうちの１面または互いに対向する２面は、その上端が前記底面部と同程度の高さ位置になるまで倒伏可能な外扉として構成され、この外扉の両側に隣合う２面の側面部に、前記外扉の内側に折り曲げられ互いに対となる扉部材がそれぞれ設けられ、これら一対の扉部材で、前記外扉が倒伏した状態において外側へ観音開き状に開放可能な内扉を構成し、前記４面の側面部のうち前記外扉でない側面部の上端に、前記底面部と４面の側面部とで囲まれた空間の上部を閉ざす上蓋が設けられ、前記内側材は、前記外箱の前記底面部の上に重ねられる中央板部と、この中央板部の対向する２辺からそれぞれ上方へ立ち上がり、前記外箱の前記扉部材が設けられた２面の側面部の内側に重ねられる２つの立上り部とを有し、前記外扉および前記内扉の少なくとも一方に、これら外扉と内扉を互いに分離可能に固定する固定手段を設けたため、少ない部品点数で組み立てることができ、収容されている精密機器に対する保護機能が高く、組立て・解体が簡単で、精密機器を安全かつ容易に取り出すことができる。
【図面の簡単な説明】
【００２４】
【図１】この発明の一実施形態にかかる精密機器用梱包箱の分解斜視図である。
【図２】同精密機器用梱包箱の破断正面図である。
【図３】同精密機器用梱包箱の破断側面図である。
【図４】同精密機器用梱包箱の外箱の展開図である。
【図５】同精密機器用梱包箱の内側材の展開図である。
【図６】同精密機器用梱包箱に精密機器を入れる作業の説明図である。
【図７】同精密機器用梱包箱から精密機器を取り出す手順の説明図である。
【図８】同精密機器用梱包箱の要部の破断側面図である。
【図９】同精密機器用梱包箱の要部の一部を省略した平面図である。
【図１０】同精密機器用梱包箱の外箱の異なる例の展開図である。
【図１１】固定手段の異なる例を示す外箱の一部の破断側面図である。
【図１２】従来の精密機器用梱包箱の斜視図である。
【図１３】従来の異なる精密機器用梱包箱の分解斜視図である。
【図１４】検討例の精密機器用梱包箱の斜視図である。
【発明を実施するための形態】
【００２５】
以下、この発明の一実施形態を図面と共に説明する。
図１は、この実施形態にかかる精密機器用梱包箱の分解斜視図である。この精密機器用梱包箱１は、外形が略円柱状で径方向寸法に比べて軸方向寸法が長い精密機器５０、例えば鉄道車両用車軸軸受を運搬するための梱包箱であって、基本的には外箱２と内側材３とでなる。他に、精密機器５０を包むビニール製の保護袋４０（図２、図３）、内側材３と精密機器５０を固定する粘着テープ４１（図７）、すきまを埋める緩衝材４３（図２、図３）、梱包用の粘着テープ４４（図２）等を必要に応じて使用する。これらについては、後で説明する。精密機器用梱包箱１は、組み上がると、図２および図３の断面図に示すような直方体の形状となる。なお、図２は図３のIII−III断面図であり、図３は図２のII−II断面図である。
【００２６】
外箱２および内側材３は、いずれもクッション性を有する１枚の薄板材、例えば段ボールシートを折り曲げて形成される。図４は外箱用の段ボールシート２Ｓを示し、図５は内側材用の段ボールシート３Ｓを示す。各図の破線は折り曲げ線である。
【００２７】
外箱２は、図１〜図３および図４の展開図に示すように、矩形の底面部１０と、この底面部１０の各辺から上方（組立時）へ延びる４面の側面部１１Ａ，１１Ｂ，１１Ｃ，１１Ｄとを有する。これら４面の側面部１１Ａ〜１１Ｄのうち互いに対向する２面の側面部１１Ａ，１１Ｂは、その上端が底面部１０と同程度の高さ位置になるまで倒伏可能な外扉として構成されている（以下、「側面部１１Ａ，１１Ｂ」を「外扉１１Ａ，１１Ｂ」とする）。また、外扉１１Ａ，１１Ｂの両側に隣合う２面の側面部１１Ｃ，１１Ｄの両側端に、外扉１１Ａ，１１Ｂの内側に折り曲げられ互いに対となる扉部材１２，１３がそれぞれ設けられている。これら一対の扉部材１２，１３で、外扉１１Ａ，１１Ｂが倒伏した状態において外側へ観音開き状に開放可能な内扉１４Ａ，１４Ｂを構成する。
【００２８】
扉部材１２，１３の互いに対向する縁部に、蟻溝状の凹部１５と凸部１６が交互に並んで設けられている。扉部材１２の凹部１５と扉部材１３の凸部１６とが互いに対応する位置関係にあり、かつ扉部材１２の凸部１６と扉部材１３の凹部１５とが互いに対応する位置関係にある。一対の扉部材１５，１６の凹部１５と凸部１６とを互いに噛み合わせることで、これら凹部１５および凸部１６の接触面の摩擦抵抗により内扉１４Ａ，１４Ｂを閉じた状態に保持する。凹部１５および凸部１６は蟻溝状であるため、互いに噛み合った状態でくさび作用が働き、大きな保持力が得られる。
【００２９】
外扉１１Ａ，１１Ｂと内扉１４Ａ，１４Ｂを互いに分離可能に固定する固定手段として、外扉１１Ａ，１１Ｂの上端に、中間水平部１７Ａ，１７Ｂを介して、内側に折り返される折返し部１８Ａ，１８Ｂが設けられている。この折返し部１８Ａ，１８Ｂを、内扉１４Ａ，１４Ｂの上端を越えて内側に折り返すことにより、外扉１１Ａ，１１Ｂと内扉１４Ａ，１４Ｂとが互いに組み合わされた状態に固定する。このとき、中間水平部１７Ａ，１７Ｂは、内扉１４Ａ，１４Ｂの上方位置で水平姿勢となる。折返し部１８Ａ，１８Ｂの先端には、外側へ張り出したフック部１８ａが設けられており、このフック部１８ａを側面部１１Ｃ，１１Ｄのスリット１９に差し込むことで、折返し部１８Ａ，１８Ｂが折り返し位置で拘束される。
【００３０】
この実施形態の折返し部１８Ａ，１８Ｂは、その先端部に、端縁が円弧状の先端部切欠き２０が設けられている。この先端部切欠き２０は、折返し部１８Ａ，１８Ｂの折り返しを戻すときに、精密機器用梱包箱１の内部に収容されている精密機器５０と干渉するのを回避するために設けてある。精密機器５０に対して折返し部１８Ａ，１８Ｂが斜めになっている状態でも、精密機器５０と折返し部１８Ａ，１８Ｂの干渉が回避されるように、先端部切欠き２０の円弧の半径は精密機器５０の半径よりも大きくしてある。
【００３１】
外扉でない側面部１１Ｃ，１１Ｄの上端に、底面部１０と４面の側面部１１Ａ，１１Ｂ，１１Ｃ，１１Ｄとで囲まれた空間の上部を閉ざす上蓋２１Ｃ，２１Ｄが設けられている。また、上記側面部１１Ｃ，１１Ｄの上部に、手掛け孔２２が形成されている。
【００３２】
内側材３は、図１〜図３および図５の展開図に示すように、外箱２の底面部１０の上に重ねられる中央板部３０と、この中央板部３０の対向する２辺から上方（組立時）へ立ち上がり、前記外扉でない側面部１１Ｃ，１１Ｄの内側にそれぞれ重ねられる２つの立上り部３１Ｃ，３１Ｄとを有する。さらに、立上り部３１Ｃ，３１Ｄの先端に、内側へ折り曲げ可能な中蓋３２Ｃ，３２Ｄがそれぞれ設けられている。各中蓋３２Ｃ，３２Ｄには、取っ手孔３３が形成されている。また、立上り部３１Ｃ，３１Ｄの両側の上部に、端縁が円弧状の側部切欠き３４が設けられている。この側部切欠き３４は、外扉１１Ａ，１１Ｂの折返し部１８Ａ，１８Ｂを内側に折り返すとき、または折り返しを戻すときに、この折返し部１８Ａ，１８Ｂと干渉することを回避するためのものである。
【００３３】
この精密機器用梱包箱１による精密機器５０の梱包方法を説明する。
まず、外箱２を組み立てる。すなわち、底面部１０に対して側面部１１Ｃ，１１Ｄを起立させた後、内扉１４Ａ，１４Ｂを閉じると共に、外扉１１Ａ，１１Ｂを閉じる。内扉１４Ａ，１４Ｂは、一対の扉部材１２，１３の凹部１５と凸部１６を互いに噛み合わせることで、適度の保持力で閉じた状態に保持される。また、外扉１１Ａ，１１Ｂは、折返し部１８Ａ，１８Ｂを内扉１４Ａ，１４Ｂの上端を越えて内側に折り返し、フック部１８ａをスリット１９に差し込むことで、側面部１１Ｃ，１１Ｄに結合され、かつ内扉１４Ａ，１４Ｂに対して分離不能に組み合わされる。この組立構造であると、外箱２は、１枚の段ボールシート２Ｓを組み立てただけにもかかわらず、高い強度を有する。組み立てられた外箱２は、手掛け孔２２に手を掛けて持ち運びすることができる。
【００３４】
次に、外箱２から離れた位置に置かれた内側材３の中央板部３０の上に、ビニール製の保護袋４０等で包装された精密機器５０を、軸方向が上下を向くように載置する。そして、内側材３の立上り部３１Ｃ，３１Ｄを起こし、これら立上り部３１Ｃ，３１Ｄの周囲に梱包用の粘着テープ４１等を巻いて、内側材３と精密機器５０を固定する。中蓋３２Ｃ，３２Ｄに設けられた取っ手孔３３を利用して精密機器５０ごと内側材３を持ち上げて、外箱２の中に入れる。このとき、内側材３の立上り部３１Ｃ，３１Ｄが外箱２の側面部１１Ｃ，１１Ｄの内側に重なるように、内側材３の向きを定める。
【００３５】
図６に示すように、取っ手孔３３にロープ、ベルト等４２を通すか、またはフック（図示せず）を引っ掛けて、クレーン等で内側材３ごと精密機器５０を吊り下げて外箱２の中に入れるようにすれば、重量物である精密機器５０を作業者が直接扱わなくてもよく、安全である。
【００３６】
精密機器５０のサイズに応じて、精密機器用梱包箱１と精密機器５０のすきまを埋める緩衝材４３を詰める。図２、図３に図示されている緩衝材４３は、精密機器５０と中蓋３２Ｃ，３２Ｄとの間のすきまを埋めるものであり、ダンボール紙を折り曲げて成形されている。必要に応じて、精密機器５０の四方の周囲のすきまを埋める緩衝材（図示せず）を詰めても良い。緩衝材４３を詰めた後、中蓋３２Ｃ，３２Ｄおよび上蓋２１Ｃ，２１Ｄを閉じ、上蓋２１Ｃ，２１Ｄの突合せ部、ならびに上蓋２１Ｃ，２１Ｄと外扉１１Ａ，１１Ｂの接合部を粘着テープ４４（図２）で接合して、梱包が完成する。
【００３７】
この精密機器用梱包箱１は、外箱２と内側材３とからなり、これら外箱２および内側材３は、いずれも１枚のダンボールシート２Ｓ，３Ｓを折り曲げて形成されている。また、折返し部１８Ａ，１８Ｂを内側に折り返して外扉１１Ａ，１１Ｂと内扉１４Ａ，１４Ｂとが互いに分離不能に組み合わされた状態とすることにより、精密機器用梱包箱１が組み立てられた状態に保たれる。そのため、組立に鉄ピン等の止め具を必要としない。よって、部品点数が少なくて済み、組立て・解体が簡単である。さらに、解体後に段ボール紙以外のゴミが出ず、後片付けが容易である。
【００３８】
図２および図３に示すように、精密機器５０を梱包した状態では、外形が直方体形状である精密機器用梱包箱１の６面の外面はすべて２重構造となる。すなわち、互いに対向する２面の側面は、外扉１１Ａ，１１Ｂと内扉１４Ａ，１４Ｂとが重なる。残りの互いに対向する２面の側面は、外箱２の側面部１１Ｃ，１１Ｄと内側材３の立上り部３１Ｃ，３１Ｄとが重なる。底面は、外箱２の底面部１０と内側材３の中央板部３０とが重なる。また、上面は、外箱２の上蓋２１Ｃ，２１Ｄと内側材３の中蓋３２Ｃ，３２Ｄとが重なる。このように精密機器５０の周囲６面のすべてを、クッション性を有する段ボール材により２重に保護するので、収容されている精密機器５０に対する保護機能が高い。
【００３９】
梱包状態では、精密機器５０、緩衝材４３等により内側材３の立上り部３１Ｃ，３１Ｄが外側に押され、この立上り部３１Ｃ，３１Ｄにより外箱２の手掛け孔２２が内側から塞がれる。そのため、箱内の密封性が保たれ、精密機器５０に悪影響を与えない。
【００４０】
精密機器用梱包箱１からの精密機器５０の取出方法を、図７と共に説明する。なお、図７では、保護袋４０および緩衝材４３が省略されている。
精密機器５０を取り出すには、まず、上蓋２１Ｃ，２１Ｄを結合している粘着テープ４４（図２）を剥がして、図７（Ａ）のように、上蓋２１Ｃ，２１Ｄおよび中蓋３２Ｃ，３２Ｄを開く。次に、図７（Ｂ）のように、いずれか片方の外扉１１Ａの折返し部１８Ａを箱内から引き出して折り返しを戻し、外扉１１Ａと内扉１４Ｂとを分離可能とする。
【００４１】
図８は、折返し部１８Ａを箱内から引き出す動作の説明図である。同図（Ａ）のように側面部１１Ｃ，１１Ｄのスリット１９にフック部１８ａが係合している折返し部１８Ａを、例えば先端部切欠き２０に指を掛けて上に引くことにより、フック部１８ａが弾性変形することでフック部１８ａとスリット１９の係合が外れる。さらに、折返し部１８Ａを上に引くと、同図（Ｂ），（Ｃ）のように、水平板部１７Ａの回転動作および外扉１８Ａの倒伏動作を伴いながら、折返し部１８Ａの先端が曲線の軌跡を描いて折返し部１８Ａが引き出される。このとき、折返し部１８Ａは、内側材３の立上り部３１Ｃ，３１Ｄの側部に設けられた側部切欠き３４内を通るため、折返し部１８Ａが立上り部３１Ｃ，３１Ｄと干渉せず、円滑に折返し部１８Ａを引き出すことができる。組立て時に折返し部１８Ａを折り返す場合も同様である。
【００４２】
また、折返し部１８Ａに先端部切欠き２０が設けられているため、図９に示すように、折返し部１８Ａを引き出すときに、この折返し部１８Ａが精密機器５０と干渉するのを回避できる。なお、折返し部１８Ａは弾性を有するため、少し程度なら折返し部１８Ａが精密機器５０に接触しても、折返し部１８Ａを撓ませて引き出すことができる。先端部切欠き２０は、精密機器５０の軸方向寸法が長く、精密機器５０の上部に折返し部１８Ａが干渉する場合に設けられる。
【００４３】
精密機器５０の軸方向寸法が短く、先端部切欠き２０が無くても折返し部１８Ａが精密機器５０と干渉しない場合は、図１０に示す外箱用の段ボールシート２Ｓのように先端部切欠き２０が無いものを使用してよい。その場合、緩衝材４３の上下厚みを調整することで、精密機器５０の上方のすきまを埋める。つまり、この精密機器用梱包箱１は、折返し部１８Ａに先端部切欠き２０を設けるか否かのわずかな変更だけで、軸方向寸法の異なる複数種の精密機器５０に対応することができる。
【００４４】
外扉１１Ａと内扉１４Ａとを分離可能とした後、図７（Ｃ）のように、外扉１１Ａを倒伏させて開く。さらに、図７（Ｄ）のように、内扉１４Ａを観音開き状に開く。これにより、外扉１１Ａと内扉１４Ａとで閉じられていた側面が開放される。この開放された側面から、中の精密機器５０を側方にスライドさせて取り出す。その際、図７（Ｅ）のように、内側材３ごと精密機器５０を、倒伏した外扉１１Ａの上を滑らすようにスライドさせると、精密機器５０を安全かつ容易に取り出すことができる。場合によっては、精密機器５０だけをスライドさせて取り出しても良い。
【００４５】
上の説明では、外扉１１Ａおよび内扉１４Ａを開いて図７の手前側に精密機器５０を取り出す場合を示したが、外扉１１Ｂおよび内扉１４Ｂを開いて図７の奥側に精密機器５０を取り出しても良い。その場合も、前記同様に、簡単に開梱して、精密機器５０を安全かつ容易に取り出すことができる。
【００４６】
この実施形態は、４面の側面における互いに対向する２面に外扉１１Ａ，１１Ｂおよび内扉１４Ａ，１４Ｂが設けられているため、精密機器５０を互いに対向する２方向に取り出すことが可能であり、精密機器５０の取出現場におけるレイアウトの融通性が高い。また、互いに対向する２面に外扉１１Ａ，１１Ｂおよび内扉１４Ａ，１４Ｂを設け、折返し部１８Ａ，１８Ｂを折り返して外扉１１Ａ，１１Ｂと内扉１４Ａ，１４Ｂとを互いに分離不能とすることで、固定用の金具等を用いることなく、外箱２を組み立てることを可能としている。
場合によっては、４面の側面のうちの１面にだけ外扉１１Ａ（１１Ｂ）および内扉１４Ａ（１４Ｂ）を設けた構成としても良い。
【００４７】
外扉１１Ａ，１１Ｂと内扉１４Ａ，１４Ｂを互いに分離不能に固定する固定手段として、上記実施形態の折返し部１８Ａ，１８Ｂに代えて、粘着テープまたは面ファスナーを用いても良い。例えば、図１１（Ａ）のように、内扉１４Ａ（１４Ｂ）の上端に一端が自由端４５ａとなった粘着テープ４５を取り付けておき、同図（Ｂ）のように、前記粘着テープ４５の自由端４５ａを起立した外扉１１Ａ（１１Ｂ）の上端に貼り付けることで、外扉１１Ａ（１１Ｂ）と内扉１４Ａ（１４Ｂ）を互いに固定する。粘着テープ４５を剥がせば、外扉１１Ａ（１１Ｂ）と内扉１４Ａ（１４Ｂ）を分離することができる。なお、粘着テープ４５の自由端４５ａに剥離紙４６が貼られていて、自由端４５ａを外扉１１Ａ（１１Ｂ）に貼り付けるときに前記剥離紙４６を剥がすようになっている。
固定手段を面ファスナーとする場合は、例えば、外扉１１Ａ（１１Ｂ）および内扉１４Ａ（１４Ｂ）の組立時に互いに対向する面に、一対で一組となる面ファスナーのうちの片方の面ファスナーおよびもう一方の面ファスナーをそれぞれ個別に取り付ける（図示せず）。また、面ファスナーの代わりに、外扉１１Ａ（１１Ｂ）および内扉１４Ａ（１４Ｂ）の組立時に互いに対向する面の片方に、両面の粘着テープを取り付けても良い（図示せず）。
【符号の説明】
【００４８】
１…精密機器用梱包箱
２…外箱
２Ｓ…外箱用段ボールシート（薄板材）
３…内側材
３Ｓ…内側材用段ボールシート（薄板材）
１０…底面部
１１Ａ，１１Ｂ…側面部（外扉）
１１Ｃ，１１Ｄ…側面部
１２，１３…扉部材
１５…凹部
１６…凸部
１８Ａ，１８Ｂ…折返し部（固定手段）
２０…先端部切欠き
２１Ｃ，２１Ｄ…上蓋
２２…手掛け孔
３０…中央板部
３１Ｃ，３１Ｄ…立上り部
３２Ｃ，３２Ｄ…中蓋
３３…取っ手孔
３４…側部切欠き
４５…粘着テープ（固定手段）
５０…精密機器
【図１】
2015101367.tif 000003
【図２】
2015101367.tif 000004
【図３】
2015101367.tif 000005
【図４】
2015101367.tif 000006
【図５】
2015101367.tif 000007
【図６】
2015101367.tif 000008
【図７】
2015101367.tif 000009
【図８】
2015101367.tif 000010
【図９】
2015101367.tif 000011
【図１０】
2015101367.tif 000012
【図１１】
2015101367.tif 000013
【図１２】
2015101367.tif 000014
【図１３】
2015101367.tif 000015
【図１４】
2015101367.tif 000016